(57)【要約】  アキシアルピストンポンプと比較して簡単な構造で、且つ、内接形歯車ポンプと比較して損失を低減できる車両用オイルポンプを提供する。  ポンプロータ１２に対してポンプ軸心RC1まわりの周方向に相対移動不能且つそのポンプ軸心RC1方向に摺動可能な複数のスライダ部材１６が、ポンプ軸心RC1に直交する方向でポンプロータ１２とポンプボディ１４との間に介装されている。そして、そのスライダ部材１６に設けられた突部４２が嵌め入れられており且つスライダ部材１６がポンプボディ１４に対しポンプ軸心RC1まわりに相対回転するに伴ってそのスライダ部材１６をポンプ軸心RC1方向に往復させるカム溝６０が、ポンプボディ１４の内周面５６に形成されている。従って、車両用オイルポンプ１０は、アキシアルピストンポンプと比較して簡単な構造とすることが可能であり、内接形歯車ポンプと比較して損失を低減することが可能である。
2012137292.tif 000002
【特許請求の範囲】
【請求項１】
一軸心まわりに相対回転可能な第１部材および第２部材を備え、該第１部材と該第２部材との一方が他方の内周側に挿入されている車両用オイルポンプであって、
前記一軸心に直交する方向で前記第１部材と前記第２部材との間に介装され、該第１部材に対して該一軸心まわりの周方向に相対移動不能且つ該一軸心に平行な方向に摺動可能なスライダ部材を備えており、
前記スライダ部材に設けられた突部が嵌め入れられており且つ該スライダ部材が前記第２部材に対し前記一軸心まわりに相対回転するに伴って該スライダ部材を該一軸心方向に往復させるカム溝が、前記第１部材に対向する前記第２部材の周面に形成されている
ことを特徴とする車両用オイルポンプ。
【請求項２】
前記カム溝は、前記第１部材と前記第２部材とが相対的に１回転する毎に前記スライダ部材を前記一軸心方向に２回以上往復させるように形成されている
ことを特徴とする請求項１に記載の車両用オイルポンプ。
【請求項３】
前記第２部材は非回転部材である一方で、前記第１部材は前記一軸心まわりに回転可能な回転部材である
ことを特徴とする請求項１又は２に記載の車両用オイルポンプ。
【請求項４】
前記スライダ部材は、前記第１部材と前記第２部材との間において前記一軸心まわりに環状に複数配設されており、
前記第１部材と前記第２部材と前記スライダ部材とに囲まれて形成された複数の油室の各容積が、該第１部材と該第２部材との相対回転角度に対応する前記スライダ部材の往復運動によって変化する
ことを特徴とする請求項１から３の何れか１項に記載の車両用オイルポンプ。
【請求項５】
前記第２部材には前記カム溝が複数形成されており、
前記スライダ部材の突部が嵌め入れられるカム溝を前記複数のカム溝のうちの何れかに切り替えるカム溝切換機構を含む
ことを特徴とする請求項１から４の何れか１項に記載の車両用オイルポンプ。
【発明の詳細な説明】
【技術分野】
【０００１】
本発明は、車両用オイルポンプの構造に関するものである。
【背景技術】
【０００２】
車両用のオイルポンプとしては、アキシアルピストンポンプや内接形歯車ポンプなどがよく知られている。例えば、特許文献１には、上記アキシアルピストンポンプが開示されている。特許文献１のアキシアルピストンポンプは一般的に知られたオイルポンプであり、例えば特許文献１の図２によれば、そのアキシアルピストンポンプが有するピストン数は８である。
【先行技術文献】
【特許文献】
【０００３】
【特許文献１】特開２０１０−１４４５７９号公報
【発明の概要】
【発明が解決しようとする課題】
【０００４】
特許文献１に開示されているようなアキシアルピストンポンプは、そのポンプの吐出量の割にはそのポンプ構造が複雑であり、ポンプの体格が大きいという課題があった。更に、アキシアルピストンポンプは、ピストン数を増やすほど油圧脈動は小さくなるがそのピストン数を増やすにも限度があるので、同程度の体格である他形式のポンプ、例えば内接形歯車ポンプ、外接形歯車ポンプ、ベーン式ポンプと比較して油圧脈動が大きくなるという課題があった。【０００５】
また、車両用オイルポンプとして、内周歯を備えたドリブンギヤとその内周歯に噛み合う外周歯を備えたドライブギヤとを含む内接形歯車ポンプがよく用いられるが、この内接形歯車ポンプにも種々の課題があった。例えば、上記ドリブンギヤの直径が大きく、上記ドリブンギヤの外周面とポンプ軸心に垂直な上記ドライブギヤ及び上記ドリブンギヤの側面とにおいて、油の剪断に起因した摩擦損失が大きいという課題があった。また、上記内接形歯車ポンプでは、上記ドリブンギヤがそのドリブンギヤに対して偏心した上記ドライブギヤによって回転駆動されることと、吸入口側と吐出口側との間の油圧差とによって上記ドリブンギヤが回転軸心に対し偏心させられ、その偏心によって、上記ドリブンギヤと上記ドライブギヤとの噛合効率が悪化し、上記ドリブンギヤの磨耗が助長される可能性があるという課題があった。なお、このような各オイルポンプに関する課題は未公知のことである。【０００６】
本発明は以上の事情を背景として為されたもので、その目的とするところは、アキシアルピストンポンプと比較して簡単な構造で、且つ、内接形歯車ポンプと比較して損失を低減できる車両用オイルポンプを提供することにある。
【課題を解決するための手段】
【０００７】
上記目的を達成するための第１発明の要旨とするところは、（ａ）一軸心まわりに相対回転可能な第１部材および第２部材を備え、その第１部材とその第２部材との一方が他方の内周側に挿入されている車両用オイルポンプであって、（ｂ）前記一軸心に直交する方向で前記第１部材と前記第２部材との間に介装され、その第１部材に対してその一軸心まわりの周方向に相対移動不能且つその一軸心に平行な方向に摺動可能なスライダ部材を備えており、（ｃ）前記スライダ部材に設けられた突部が嵌め入れられており且つそのスライダ部材が前記第２部材に対し前記一軸心まわりに相対回転するに伴ってそのスライダ部材をその一軸心方向に往復させるカム溝が、前記第１部材に対向する前記第２部材の周面に形成されていることを特徴とする。
【発明の効果】
【０００８】
このようにすれば、前記アキシアルピストンポンプと比較して少ない種類の構成部品によって、前記スライダ部材を前記アキシアルピストンポンプのピストンと同様に機能させることができるので、アキシアルピストンポンプと比較して簡単な構造で、前記車両用オイルポンプを構成することが可能である。また、前記第１発明の車両用オイルポンプでは、前記第１部材と前記第２部材とが互いに偏心されて配置されてはおらず、また、内接形歯車ポンプで油の剪断に起因した摩擦損失を発生させる前記ドリブンギヤの外周面及び側面に相当する箇所が存在しないので、その内接形歯車ポンプと比較して損失を低減することが可能である。【０００９】
また、第２発明の要旨とするところは、前記第１発明の車両用オイルポンプであって、前記カム溝は、前記第１部材と前記第２部材とが相対的に１回転する毎に前記スライダ部材を前記一軸心方向に２回以上往復させるように形成されていることを特徴とする。このようにすれば、油（オイル）を吸入する方向に前記スライダ部材が移動させられることによって生じる例えば油吸入部分に相当する低油圧箇所と、油を吐き出す方向に前記スライダ部材が移動させられることによって生じる例えば油吐出部分に相当する高油圧箇所とが前記一軸心まわりに交互に複数組発生するので、上記低油圧箇所と上記高油圧箇所との油圧差によって前記第１部材と前記第２部材とを互いに偏心させようとする径方向の力が相殺されるように、上記低油圧箇所と上記高油圧箇所とをそれぞれ配置できる。その結果として、例えば前記第１部材と前記第２部材とが相対的に１回転する毎に前記スライダ部材が１往復させられる場合と比較して、油圧に起因した前記第１部材と前記第２部材との互いの偏心が抑えられ、前記第１部材および前記第２部材の耐久性悪化を抑制できる。【００１０】
また、第３発明の要旨とするところは、前記第１発明又は前記第２発明の車両用オイルポンプであって、前記第２部材は非回転部材である一方で、前記第１部材は前記一軸心まわりに回転可能な回転部材であることを特徴とする。このようにすれば、前記第１部材が前記一軸心まわりに回転させられると、前記スライダ部材は、その一軸心方向に往復運動を行いつつ、前記第１部材と共にその一軸心まわりに回転する。そして、前記第２部材に設けられた前記カム溝は回転しない。従って、油が吸入される吸入口と油が吐き出される吐出口との各々を上記一軸心まわりに回転しない一定箇所に設けることができる。例えば仮に、前記第１部材が非回転部材である一方で、前記第２部材が前記一軸心まわりに回転可能な回転部材であったとすれば、前記スライダ部材は、上記第２部材の回転に伴い、前記一軸心まわりの周方向位置を変えずにその場で往復運動をさせられるので、車両用オイルポンプの同一箇所から交互に油の吸入と吐出とが行われることになる。そうなると、この車両用オイルポンプに接続される油圧回路が、油の吸入時と吐出時とで流路を切り替える機能を備える必要が生じる。【００１１】
また、第４発明の要旨とするところは、前記第１発明から前記第３発明の何れか一の車両用オイルポンプであって、（ａ）前記スライダ部材は、前記第１部材と前記第２部材との間において前記一軸心まわりに環状に複数配設されており、（ｂ）前記第１部材と前記第２部材と前記スライダ部材とに囲まれて形成された複数の油室の各容積が、その第１部材とその第２部材との相対回転角度に対応する前記スライダ部材の往復運動によって変化することを特徴とする。このようにすれば、前記スライダ部材を多く配設することで、車両用オイルポンプの吐出油圧の脈動を小さくすることが可能である。【００１２】
また、第５発明の要旨とするところは、前記第１発明から前記第４発明の何れか一の車両用オイルポンプであって、（ａ）前記第２部材には前記カム溝が複数形成されており、（ｂ）前記スライダ部材の突部が嵌め入れられるカム溝を前記複数のカム溝のうちの何れかに切り替えるカム溝切換機構を含むことを特徴とする。このようにすれば、前記スライダ部材の突部が嵌め入れられるカム溝を上記カム溝切換機構によって切り替えることで、車両用オイルポンプの吐出流量を切り替えることができる。【００１３】
ここで、好適には、（ａ）前記カム溝は、前記一軸心まわりの１周にわたって連続的に連なっており、（ｂ）その一軸心を含む断面におけるそのカム溝の位置は、前記一軸心まわりの前記断面の周方向角度に応じてその一軸心方向に変化する。【００１４】
また、好適には、前記カム溝は、前記スライダ部材を、そのスライダ部材の前記一軸心まわり周方向位置に応じたその一軸心方向の軸方向位置に拘束する。
【図面の簡単な説明】
【００１５】
【図１】本発明の一実施例である車両用オイルポンプの正面図である。
【図２】図１において車両用オイルポンプをII−II方向に見た車両用オイルポンプのII−II矢視断面図である。
【図３】図１の車両用オイルポンプの斜視図である。
【図４】図１の車両用オイルポンプのポンプ軸心方向に見たスライダ部材の正面図である。
【図５】図４において矢印AR01方向に見たスライダ部材の側面図である。
【図６】図４および図５に示すスライダ部材の斜視図である。
【図７】図１に示すように環状に配設された複数のスライダ部材を直列的に１周分を展開して、そのスライダ部材の各々のポンプ軸心方向の軸方向位置を示した展開図である。
【図８】従来の内接形歯車ポンプと図１に示す実施例１の車両用オイルポンプとのそれぞれにおいて、油の剪断による摩擦損失とポンプの回転速度との関係を表したグラフであって、図８（ａ）は上記内接形歯車ポンプのものであり、図８（ｂ）は実施例１の車両用オイルポンプのものである。
【図９】図８にて摩擦損失とポンプの回転速度との関係が表された内接形歯車ポンプの概略図である。
【図１０】図１の車両用オイルポンプにおいてカム溝が直線的な軌跡を有すると仮定した上で、その直線的な軌跡を有すると仮定されたカム溝のポンプ軸心まわりの１周分を一平面上に展開した、カム溝の簡略化モデル図である。
【図１１】従来の内接形歯車ポンプと図１に示す実施例１の車両用オイルポンプとについて、図８（ａ）（ｂ）に表された上記摩擦損失トルクとポンプの回転速度との関係を１つのグラフにまとめて表した図である。
【図１２】図１の車両用オイルポンプにおいて油圧により生じるポンプロータの回転方向の抗力を、図１０の簡略化モデル図の一部を抜粋して示した図である。
【図１３】図１の車両用オイルポンプにおいてスライダ部材の突部とその突部が摺動するカム溝の側面（摩擦面）との摩擦により生じるポンプロータの回転方向の抗力を、図１０の簡略化モデル図の一部を抜粋して示した図である。
【図１４】図１の車両用オイルポンプにおいて、カム溝の溝角度と、図１２及び図１３に表された力及び駆動トルクのそれぞれとの関係を示したグラフである。
【図１５】ポンプの駆動トルクとカム溝の溝角度との関係を、図９の内接形歯車ポンプと図１に示す実施例１の車両用オイルポンプとに関して示したグラフである。
【図１６】図１に示す実施例１の車両用オイルポンプと図９の内接形歯車ポンプ７１０との間で耐キャビテーション性能を比較するために、それぞれのポンプにおいて、ポンプの回転速度とポンプの吸入流速との関係を表したグラフである。
【図１７】図１の車両用オイルポンプにおいて、吸入口と吐出口とが合計３組あると仮定した場合のその吸入口および吐出口の配置を例示した図である。
【図１８】図７と同様の展開図であって、実施例２の車両用オイルポンプにおいて環状に配設された複数のスライダ部材を直列的に１周分を展開して、そのスライダ部材の各々のポンプ軸心方向の軸方向位置を示した展開図である。
【図１９】図１８にて一点鎖線A01で囲んだ箇所を拡大した図であって、図１９（ａ）は図１８と同じカム溝切替機構の切替位置すなわち第１切替位置を表しており、図１９（ｂ）はもう一方の切替位置すなわち第２切替位置へカム溝切替機構１６４が切り替えられた状態を表している。
【図２０】図１９（ａ）においてX1−X1方向に見たポンプボディのX1−X1矢視断面図である。
【発明を実施するための形態】
【００１６】
以下、本発明の実施例を、図面を参照しつつ詳細に説明する。
【実施例１】
【００１７】
図１は、本発明の一実施例である車両用オイルポンプ１０の正面図である。図２は、図１において車両用オイルポンプ１０をII−II方向に見た車両用オイルポンプ１０のII−II矢視断面図である。図３は、車両用オイルポンプ１０の斜視図である。図１及び図２に示すように、車両用オイルポンプ１０は、第１部材であるポンプロータ１２と、第２部材であるポンプボディ１４と、複数のスライダ部材１６と、ポンプカバー１８とを備えている。例えば、この車両用オイルポンプ１０は、車両用変速機の油圧供給源となるオイルポンプであって、エンジンに取り付けられ、エンジンによって回転駆動されるオイルポンプである。すなわち、ポンプボディ１４がエンジンのシリンダブロック２０などの非回転部材に固定されており、ポンプロータ１２がエンジンのクランク軸などの駆動軸によってポンプ軸心RC1まわりに回転させられることにより、車両用オイルポンプ１０はオイルポンプとして機能する。なお、上記ポンプ軸心RC1は本発明の一軸心に対応する。【００１８】
ポンプロータ１２は、非回転部材であるポンプボディ１４の内周側に挿入されており、そのポンプボディ１４に対してポンプ軸心RC1まわりに回転可能な回転部材である。そのポンプロータ１２は、ポンプ軸心RC1を軸心とする円筒状のロータ本体部２２と、そのロータ本体部２２の内周面２４から径方向に突き出た１対の係止部２６と、ポンプ軸心RC1を中心としてロータ本体部２２の外周面２８から放射状に突き出た矩形形状の複数の隔壁部３０とを備えている。上記内周面２４によって構成される嵌合穴には例えば前記クランク軸などの駆動軸が嵌め入れられる。そして、その駆動軸に設けられた軸方向のキー溝に前記係止部２６が嵌め入れられることにより、ポンプロータ１２はその駆動軸に対し相対回転不能に連結される。【００１９】
隔壁部３０は、スライダ部材１６の個数と同数だけ設けられている。図１におけるスライダ部材１６および隔壁部３０の数は何れも２８個である。そして、複数の隔壁部３０は、ポンプ軸心RC1まわりの周方向に等間隔の角度を有して各々配設されている。複数の隔壁部３０の先端面３２を全て連ねると、ポンプ軸心RC1を中心とする円筒が構成される。その先端面３２の各々がポンプボディ１４の内周面５６と対向することで、ポンプロータ１２は、ポンプボディ１４の内周側に回転可能な状態で嵌合している。【００２０】
複数のスライダ部材１６は、ポンプ軸心RC1に直交する方向でポンプロータ１２とポンプボディ１４との間に介装されており、そのポンプロータ１２とポンプボディ１４との間においてポンプ軸心RC1まわりに環状に配設されている。具体的には、複数のスライダ部材１６の各々は、隣り合う前記隔壁部３０で相対向する隔壁部３０の側面３４とポンプロータ１２の外周面２８とで構成された摺動溝３６に嵌め入れられている。詳細には、スライダ部材１６は、ポンプロータ１２に対して、ポンプ軸心RC1まわりの周方向に相対移動不能且つポンプ軸心RC1に平行な方向に摺動可能にされている。具体的なスライダ部材１６の形状は、図４〜図６に示す通りである。図４は、ポンプ軸心RC1方向に見たスライダ部材１６の正面図であり、図５は、図４において矢印AR01方向に見たスライダ部材１６の側面図であり、図６は、スライダ部材１６の斜視図である。図４〜図６に示すように、スライダ部材１６は、ポンプロータ１２の摺動溝３６に嵌め入れられるピストン部４０と、そのピストン部４０からポンプ軸心RC1を中心とする外周側に突き出た円柱状の突部４２とを備えている。そのピストン部４０は図４の正面図では扇形形状をしている。ピストン部４０においてポンプ軸心RC1に平行な４つの側面のうち、ポンプ軸心RC1に近い側の内周側側面４４はポンプロータ１２の外周面２８に相対向して摺動し、ポンプ軸心RC1から遠い側の外周側側面４６はポンプボディ１４の内周面５６に相対向して摺動し、残る２つの周方向側面４８，５０はそれぞれ隔壁部３０の側面３４に相対向して摺動する。また、スライダ部材１６を滑らかに摺動させるために、ピストン部４０のポンプ軸心RC1方向の長さは、ポンプ軸心RC1まわりのピストン部４０の周方向長さと、ポンプ軸心RC1に直交するピストン部４０の径方向長さとの何れよりも長い方が好ましい。【００２１】
スライダ部材１６の突部４２は、例えば図５に示すように外周側側面４６の中央部分から突き出ている。このスライダ部材１６のピストン部４０および突部４２は一部品で構成されていても差し支えないが、それぞれが別個の部品として製造され相互に組み合わされてスライダ部材１６を構成しても差し支えない。【００２２】
図１〜３に戻り、ポンプボディ１４は、例えばエンジンのシリンダブロック２０等に対し固定された非回転部材である。ポンプボディ１４には、ポンプ軸心RC1を中心とする円筒状の内周面５６により構成されたロータ嵌合穴５８が形成されている。このロータ嵌合穴５８には、ポンプロータ１２が複数のスライダ部材１６と共にポンプ軸心RC1まわりに回転可能に嵌め入れられている。そして、ポンプロータ１２がポンプボディ１４に対して回転すれば、ポンプロータ１２に含まれる複数の隔壁部３０の先端面３２と、複数のスライダ部材１６に含まれるピストン部４０の外周側側面４６とが、ポンプボディ１４の内周面５６に対してポンプ軸心RC1まわりに周方向に摺動する。【００２３】
また、ポンプボディ１４の内周面５６には、ポンプ軸心RC1まわりの１周にわたって滑らか且つ連続的に連なったカム溝６０が形成されている。このカム溝６０は、図３に破線で示すように、ポンプ軸心RC1まわりの周方向位置に応じてポンプ軸心RC1方向に往復する波状の軌跡で連なっている。言い換えれば、ポンプ軸心RC1を含む断面におけるカム溝６０の位置は、ポンプ軸心RC1まわりのその断面の周方向角度に応じてポンプ軸心RC1方向に変化している。そして、カム溝６０はスライダ部材１６をガイドするガイド溝として機能しており、カム溝６０には、スライダ部材１６に設けられた突部４２が各々嵌め入れられている。なお、図３では、図示を簡潔なものにするため、多数の前記隔壁部３０と多数のスライダ部材１６とのうち、１つのスライダ部材１６及びそれに隣接する２つの隔壁部３０を表示するにとどめている。また、カム溝６０の詳細に関しては図７を用いて後述する。【００２４】
ポンプカバー１８は、ポンプボディ１４に固定されており、ポンプロータ１２と複数のスライダ部材１６とポンプボディ１４とをポンプ軸心RC1方向の一方にて覆う例えば平板状のカバー部材である。ポンプカバー１８には、ポンプロータ１２に連結される駆動軸と干渉しないように貫通穴７２が設けられている。また、ポンプカバー１８には、ポンプ軸心RC1方向におけるスライダ部材１６のピストン部４０上には、油が吸入される吸入口７４と油が吐き出される吐出口７６とがポンプ軸心RC1方向まわりに交互に等間隔で配設されており、その吸入口７４と吐出口７６とが部分的に開口した開口部となっている。本実施例では、ポンプロータ１２の１回転当たりスライダ部材１６がポンプ軸心RC1方向に２回往復するので（図７参照）、図１に示すように、２つの吸入口７４と２つの吐出口７６とが設けられている。本実施例では、ポンプロータ１２のロータ本体部２２および隔壁部３０は、ポンプロータ１２がポンプカバー１８に対してポンプ軸心RC1まわりに回転することを阻害しない範囲で、ポンプロータ１２に対向するポンプカバー１８の内側側面７８に極めて近接して設けられているが、ロータ本体部２２および隔壁部３０が上記内側側面７８に対しポンプ軸心RC1まわりに摺動可能であっても差し支えない。【００２５】
図７は、図１に示すように環状に配設された複数のスライダ部材１６を直列的に１周分を展開して、そのスライダ部材１６の各々のポンプ軸心RC1方向の軸方向位置を示した展開図である。図７に示すポンプ軸心RC1まわりの周方向位置である[1]〜[28]位置は、図１に示す同番号の位置を表している。図７に示すように、スライダ部材１６の突部４２がポンプボディ１４のカム溝６０に嵌め入れられているので、スライダ部材１６は、カム溝６０により、そのスライダ部材１６のポンプ軸心RC1まわりの周方向位置に応じた上記軸方向位置に拘束される。すなわち、そのカム溝６０は、スライダ部材１６がポンプボディ１４に対しポンプ軸心RC1まわりに相対回転するに伴って、スライダ部材１６をポンプ軸心RC1方向に往復させることになる。そのカム溝６０は、ポンプロータ１２とポンプボディ１４とが相対的に１回転する毎にスライダ部材１６をポンプ軸心RC1方向に２回以上往復させるように形成されているのが好ましく、本実施例では図７に示すように、スライダ部材１６を２回往復させるように形成されている。【００２６】
図７におけるスライダ部材１６の動作を、ポンプロータ１２が図１の矢印ARrt方向に回転する場合すなわち正方向に回転する場合を例に説明すると、[1]〜[7]位置および[15]〜[21]位置では、スライダ部材１６は、ポンプロータ１２が回転するに従ってポンプカバー１８から離れる方向に移動する。そのため、ポンプカバー１８とスライダ部材１６との間においてポンプロータ１２とポンプボディ１４とスライダ部材１６とに囲まれて形成された油室８０の容積は、ポンプロータ１２が回転するに従って拡大し、それにより、その油室８０に吸入口７４から油が吸入される。【００２７】
また、[8]〜[14]位置および[22]〜[28]位置では、スライダ部材１６は、ポンプロータ１２が回転するに従ってポンプカバー１８に近づく方向に移動する。そのため、上記油室８０の容積は、ポンプロータ１２が回転するに従って縮小し、それにより、その油室８０から吐出口７６に向けて油が吐き出される。このようなスライダ部材１６の動作から、吸入口７４は、スライダ部材１６が上記油室８０に油を吸入するポンプ軸心RC1まわりの周方向位置、例えば図１，図７の[1]〜[7]位置および[15]〜[21]位置にて、開口して設けられている。また、吐出口７６、スライダ部材１６が上記油室８０から油を吐き出させるポンプ軸心RC1まわりの周方向位置、例えば図１，図７の[8]〜[14]位置および[22]〜[28]位置にて、開口して設けられている。要するに、車両用オイルポンプ１０では、スライダ部材１６がポンプロータ１２の１回転当たり２回往復し、油の吸入吐出工程がポンプロータ１２の１回転当たり２回行われるので、吸入口７４および吐出口７６はそれぞれ２箇所ずつ設けられている。このことから判るように、ポンプロータ１２の１回転当たりのスライダ部材１６の往復回数と、吸入口７４および吐出口７６のそれぞれの配設数とは互いに同数になっている。上記図７を用いて説明したように、上記油室８０の各容積が、ポンプロータ１２とポンプボディ１４との相対回転角度に対応するスライダ部材１６の往復運動によって変化するので、車両用オイルポンプ１０はポンプロータ１２を回転駆動させることによりポンプとして機能する。【００２８】
次に、本実施例の車両用オイルポンプ１０が従来のオイルポンプに対して優れている点について説明する。図８は、従来の内接形歯車ポンプ７１０と本実施例の車両用オイルポンプ１０とのそれぞれにおいて、油の剪断による摩擦損失（単位は例えばNm）とポンプの回転速度との関係を表したグラフである。図８（ａ）は上記内接形歯車ポンプ７１０における上記摩擦損失とポンプの回転速度との関係を表しており、図８（ｂ）は車両用オイルポンプ１０における上記摩擦損失とポンプの回転速度との関係を表している。その図８（ａ）の縦軸及び横軸と、図８（ｂ）の縦軸及び横軸とはそれぞれ、対比可能なように、相互に同一のスケールで表示されている。また、図９は、図８にて上記摩擦損失とポンプの回転速度との関係が表された内接形歯車ポンプ７１０の概略図である。図９の内接形歯車ポンプ７１０は一般的な内接形歯車ポンプであって、外歯を有するドライブギヤ７１２とその外歯に噛み合う内歯を有するドリブンギヤ７１４とを備えている。そのドライブギヤ７１２のシャフト貫通穴７１６には、ポンプを駆動する駆動軸がドライブギヤ７１２と相対回転不能に嵌合されている。そして、ドライブギヤ７１２が上記駆動軸によって回転駆動されると、そのドライブギヤ７１２によってドリブンギヤ７１４が回転させられ、内接形歯車ポンプ７１０がポンプとして機能する。【００２９】
図８では、図８（ａ）と（ｂ）との間で適切な相互比較を行うため、車両用オイルポンプ１０と内接形歯車ポンプ７１０との間で、両ポンプ１０，７１０の理論吐出量、ポンプロータ１２とドライブギヤ７１２との軸方向幅、ポンプロータ１２の内周面２４の直径とシャフト貫通穴７１６の直径は、それぞれ相互に同一値とされている。図８（ａ）において、「ドリブンギヤ外周面」の摩擦損失すなわち摩擦損失トルクは下記式（１）によりＬ１（単位はNm）として算出されている。また、図８（ａ）において、「ギヤ側面」の摩擦損失（摩擦損失トルク）は下記式（２）により算出されるドリブンギヤ７１４の側面の摩擦損失Ｌ２（単位はNm）と、下記式（３）により算出されるドライブギヤ７１２の側面の摩擦損失Ｌ３（単位はNm）とを合計したものである。上記ドリブンギヤ７１４およびドライブギヤ７１２のそれぞれの側面とはそれらの軸方向に垂直な側面のことである。図８（ｂ）における「ギヤ側面」の摩擦損失トルクとは、ポンプカバー１８の内側側面７８に対向するポンプロータ１２の側面においてそのポンプロータ１２とポンプカバー１８との間での油の剪断による摩擦損失トルク（単位はNm）である。
Ｌ１＝（π×μ×n2）／（1800×10200）×（Z1／Z2）×B×D3／Sn  ・・・（１）
Ｌ２＝（π×μ×n2）／（1800×10200）×（Z1／Z2）×（D4−Df24）／（8×Sa）  ・・・（２）
Ｌ３＝（π×μ×n2）／（1800×10200）×（Dp14−Df14）／（8×Sa）  ・・・（３）【００３０】
ここで、上記式（１）〜式（３）において、μはオイル（油）の粘度（単位はkgf・ｓ/cm2）であり、nはドライブギヤ７１２の回転速度（単位はrpm）であり、Z1はドライブギヤ７１２の歯数であり、Z2はドリブンギヤ７１４の歯数であり、Bはドリブンギヤ７１４の歯幅（単位はcm）であり、Dはドリブンギヤ７１４の外径（単位はcm）であり、Snはドリブンギヤ７１４の外周面７１８（図９参照）とその外周面７１８が摺動する非回転部材との間の径方向隙間すなわちボディクリアランス（単位はcm）であり、Df2はドリブンギヤ７１４の歯元径（単位はcm）であり、Df1はドライブギヤ７１２の歯元径（単位はcm）であり、Saはドライブギヤ７１２及びドリブンギヤ７１４と非回転部材との間の軸方向隙間すなわちサイドクリアランス（単位はcm）であり、Dp1はドライブギヤ７１２のピッチ円径（単位はcm）である。【００３１】
また、車両用オイルポンプ１０では、ポンプロータ１２が回転すると、スライダ部材１６がポンプロータ１２及びポンプボディ１４に対して摺動するので、そのスライダ部材１６の摺動面において油の剪断による摩擦損失が生じる。そこで、そのスライダ部材１６の摺動面で生じる摩擦損失トルクを簡易に算出するため、滑らかに湾曲しているカム溝６０が図１０に示すように直線的な軌跡を有すると仮定して上記摺動面で生じる摩擦損失トルクを算出している。図１０は、直線的な軌跡を有すると仮定されたカム溝６０のポンプ軸心RC1まわりの１周分を一平面上に展開したカム溝６０の簡略化モデル図である。図１０において、LTOTALはポンプ軸心RC1まわり１周分のカム溝６０全長を示し、STRKはカム溝６０のポンプ軸心RC1方向の振れ幅すなわちスライダ部材１６のポンプ軸心RC1方向ストロークを示し、LQTは上記全長LTOTALの１／４の長さすなわち上記ストロークSTRKに対応した周方向長さを示し、θはポンプ軸心RC1に垂直な平面に対するカム溝６０の角度すなわち溝角度を示し、Fxはスライダ部材１６の摺動面で生じる摩擦力のポンプ軸心RC1方向成分を示している。この図１０のようにカム溝６０を仮定して、スライダ部材１６の摺動面で生じる摩擦損失トルクを算出した結果、その摩擦損失トルクは、極めて小さい値となったので、図８（ｂ）には表示されていない。また、車両用オイルポンプ１０には、内接形歯車ポンプ７１０におけるドリブンギヤ７１４の外周面に相当する箇所が存在しないので、図８（ｂ）には、そのドリブンギヤ７１４の外周面に相当する箇所で生じる摩擦損失トルクは表示されていない。【００３２】
上述した図８（ａ）と図８（ｂ）とを対比して、車両用オイルポンプ１０と内接形歯車ポンプ７１０との摩擦損失トルクを互いに比較してもよいが、より比較し易くするため、図８（ａ）（ｂ）に表された両ポンプ１０，７１０の上記摩擦損失トルクとポンプの回転速度との関係が１つのグラフすなわち図１１に表されている。その図１１において、両ポンプ１０，７１０の上記摩擦損失トルクを相互に比較すれば判るように、本実施例の車両用オイルポンプ１０では、内接形歯車ポンプ７１０と比較して、油の剪断に起因した摩擦損失トルクを低く抑えることが可能である。この図１１にに示すように、車両用オイルポンプ１０における油の剪断に起因した摩擦損失が内接形歯車ポンプ７１０に比して低くなるのは、内接形歯車ポンプ７１０における上記摩擦損失の主要因となっているドリブンギヤ７１４の側面および外周面に相当する箇所が本実施例の車両用オイルポンプ１０には存在しないからである。また、本実施例の車両用オイルポンプ１０ではポンプロータ１２の１回転あたりスライダ部材１６は２回往復するだけであるので、スライダ部材１６のポンプ軸心RC1方向の摺動速度が極めて小さく、スライダ部材１６の摺動面で生じる上記摩擦損失が極めて小さくなるからである。また、図１に示すように、本実施例の車両用オイルポンプ１０では、ポンプカバー１８においてスライダ部材１６にポンプ軸心RC1方向で対向する箇所は、殆どが吸入口７４または吐出口７６であって開口しており、その吸入口７４及び吐出口７６では、ポンプロータ１２がポンプカバー１８に対して回転しても前記油の剪断に起因した摩擦損失は殆ど発生しないからである。更に、内接形歯車ポンプ７１０では、ドライブギヤ７１２とドリブンギヤ７１４とが互いに偏心して噛み合っているので、上記油の剪断に起因した摩擦損失に加えて、そのギヤ同士の噛合いに起因した摩擦損失も発生する。従って、そのギヤ同士の噛合いに起因した摩擦損失すなわちギヤ同士が擦れ合う摩擦損失をも加味すれば、内接形歯車ポンプ７１０の摩擦損失は、図１１に示す摩擦損失よりも更に大きくなる。【００３３】
図１２は、本実施例の車両用オイルポンプ１０において油圧により生じるポンプロータ１２の回転方向の抗力を、図１０の簡略化モデル図の一部を抜粋して示した図である。図１３は、本実施例の車両用オイルポンプ１０においてスライダ部材１６の突部４２とその突部４２が摺動するカム溝６０の側面（摩擦面）との摩擦により生じるポンプロータ１２の回転方向の抗力を、図１０の簡略化モデル図の一部を抜粋して示した図である。そして、図１４は、カム溝６０の溝角度θ（図１０参照）と、図１２及び図１３に表された力及び駆動トルクTfoのそれぞれとの関係を示したグラフである。図１２、図１３、及び図１４において、STRK，LQT，θは図１０に用いられているものと同じであり、矢印AR02はポンプロータ１２の回転方向を示しており、Fxoはスライダ部材１６にかかるポンプ軸心RC1方向の力（吐出側を正方向）を示しており、Froは油室８０内の油圧による力のポンプロータ回転方向抗力を示しており、Fvはカム溝６０の上記摩擦面に垂直な摩擦面垂直抗力を示しており、μはカム溝６０と上記突部４２との動摩擦係数（鋼と鋼との動摩擦係数）を示しており、Fμはカム溝６０に沿った動摩擦力を示しており、Frμは上記動摩擦力Fμのポンプロータ回転方向成分すなわち摩擦による力のポンプロータ回転方向抗力を示しており、Tfoは車両用オイルポンプ１０を回転駆動させるために要する駆動トルクを示している。その車両用オイルポンプ１０の駆動トルクTfoは、主として、油圧による反力トルクと、カム溝６０と突部４２との摩擦による反力トルクとに対抗するものであるので、上記油圧による力のポンプロータ回転方向抗力Froと上記摩擦による力のポンプロータ回転方向抗力Frμとの和として算出される（Tfo＝Fro＋Frμ）。図１４に示すように、本実施例の車両用オイルポンプ１０では、カム溝６０の溝角度θが大きくなるほど、大きな駆動トルクTfoが必要となる。【００３４】
ここで、ポンプの駆動トルクに関して、本実施例の車両用オイルポンプ１０と図９の内接形歯車ポンプ７１０とを比較してみる。そのための図が図１５である。図１５は、ポンプの駆動トルクと前記カム溝６０の溝角度θとの関係を、図９の内接形歯車ポンプ７１０と本実施例の車両用オイルポンプ１０とに関して示したグラフである。図１５では、適切な相互比較を行うため、車両用オイルポンプ１０と内接形歯車ポンプ７１０との間で、両ポンプ１０，７１０の理論吐出量、吐出圧、及び吸入圧は、それぞれ相互に同一値とされている。図１５に示される車両用オイルポンプ１０の駆動トルクTfoは図１４のものと同じである。図１５において、内接形歯車ポンプ７１０にはそもそもカム溝６０の溝角度θというものが無いので、その内接形歯車ポンプ７１０の駆動トルクは一定値で示されており、具体的にその内接形歯車ポンプ７１０の駆動トルクは下記式（４）により算出される。下記式（４）において、T3は内接形歯車ポンプ７１０の駆動トルク（単位はNm）であり、ΔPは吐出圧と吸入圧との油圧差（＝吐出圧−吸入圧）すなわち差圧（単位はkgf/cm2）であり、Qは内接形歯車ポンプ７１０の吐出量（単位はcm3／s）であり、Nはドライブギヤ７１２の回転速度（単位はrpm）である。
T3＝（30×ΔP×Q）／（π×N）×9.8×10-2  ・・・（４）【００３５】
図１５に示すように、本実施例の車両用オイルポンプ１０は、カム溝６０の溝角度θが大きくなるほど、大きな駆動トルクTfoを必要とする。しかし、図１５から、車両用オイルポンプ１０では、カム溝６０の溝角度θを、車両用オイルポンプ１０の駆動トルクTfoが内接形歯車ポンプ７１０の駆動トルクT3を超える所定角度以下に設定することで、内接形歯車ポンプ７１０との比較において車両用オイルポンプ１０の駆動トルクTfoを低減できることが判る。【００３６】
図１６は、本実施例の車両用オイルポンプ１０と図９の内接形歯車ポンプ７１０との間で耐キャビテーション性能を比較するために、それぞれのポンプにおいて、ポンプの回転速度（単位はrpm）とポンプの吸入流速（単位はm/s）との関係を表したグラフである。図１６では、キャビテーションを回避できる上限の吸入流速すなわちキャビテーション限界流速がLMTCとして示されている。図１６では、適切な相互比較を行うため、車両用オイルポンプ１０と内接形歯車ポンプ７１０との間で、両ポンプ１０，７１０の理論吐出量、ポンプロータ１２とドライブギヤ７１２との軸方向幅、ポンプロータ１２の内周面２４の直径とシャフト貫通穴７１６の直径は、それぞれ相互に同一値とされている。また、内接形歯車ポンプ７１０の吸入流速VGinは、ドライブギヤ７１２の外歯とドリブンギヤ７１４の内歯との間で油の吸入に寄与する軸方向に垂直な吸入面積AGin（図９の破線による斜線部）で、吸入流量QGin（単位はm3/s）を割ることによって算出される（VGin＝QGin／AGin）。また、本実施例の車両用オイルポンプ１０に関しては、ポンプロータ１２の１回転当たりスライダ部材１６が２回往復することと、スライダ部材１６のポンプ軸心RC1方向のストローク量STRKとに基づいて、スライダ部材１６のポンプ軸心RC1方向のスライド速度が算出され、車両用オイルポンプ１０の吸入流速V1inは、そのスライド速度に等しいとみなされる。このようにして算出された両ポンプ１０，７１０の吸入流速V1in，VGinを図１６において比較すると、本実施例の車両用オイルポンプ１０の吸入流速V1inは内接形歯車ポンプ７１０の吸入流速VGinに対して小さく、そのため、キャビテーション限界流速LMTCに対する余裕がより大きくなっている。更に、両ポンプ１０，７１０の吸入流速の差（＝VGin−V1in）はポンプの回転速度が高いほど拡大する。従って、本実施例の車両用オイルポンプ１０は、耐キャビテーション性能において内接形歯車ポンプ７１０よりも優位であると言える。例えば、本実施例の車両用オイルポンプ１０は、内接形歯車ポンプ７１０と比較して、キャビテーションを回避しつつより高速回転で駆動できるので、車両用オイルポンプ１０を小型化し易いというメリットがある。【００３７】
本実施例の車両用オイルポンプ１０は、他の構造のポンプ、例えば、図９の内接形歯車ポンプ７１０やアキシアルピストンポンプ等に対して、相互に理論吐出量を同一とし且つポンプ体格を略同一として比較した場合、吐出圧の油圧脈動性能の面でも優位である。すなわち、車両用オイルポンプ１０は、上記他の構造のポンプと比較して、吐出圧の脈動を小さく抑えることが可能である。なぜなら、ポンプのロータの１回転当たりの油が閉じ込められる個別油室数が多いほど、本実施例で言えば油室８０の数が多いほど、上記吐出圧の脈動は小さくなるものだからである。具体的に言えば、車両用オイルポンプ１０において油室８０の数は２８であり、車両用オイルポンプ１０と同じ構造を採用すれば、内接形歯車ポンプ７１０の上記個別油室数に相当するドライブギヤ７１２の歯数、及び、アキシアルピストンポンプの上記個別油室数に相当するピストン数よりも、格段に多くの油室８０を設けることが可能だからである。【００３８】
本実施例の車両用オイルポンプ１０の回転部材の耐偏心性能に関して、例えば図９に示すような内接形歯車ポンプ７１０と比較して説明する。例えば、ポンプでは吐出口の油圧は吸入口の油圧よりも当然大きいので、内接形歯車ポンプ７１０では、吸入口近傍と吐出口近傍との間の油圧差が、ドリブンギヤ７１４を偏心させる偏心力として作用する。そして、ドリブンギヤ７１４は、クレセントが無いので、上記油圧差による偏心力によって本来の回転軸心に対し偏心させられる。その一方で、ドライブギヤ７１２は駆動軸によって支持されているので、殆ど偏心しない。このようなことから、内接形歯車ポンプ７１０では、ドライブギヤ７１２とドリブンギヤ７１４との噛合わせが悪化し、歯打ち音が発生し易い。しかし、本実施例の車両用オイルポンプ１０では、図１に示すように吸入口７４がポンプ軸心RC1を中心として対角配置されており且つ吐出口７６がポンプ軸心RC1を中心として対角配置されているので、ポンプ軸心RC1まわりの油圧バランスが良く、吸入口７４近傍と吐出口７６近傍との間の油圧差は、ポンプロータ１２に対する上記偏心力を殆ど生じさせない。図１では吸入口７４と吐出口７６とが合計２組存在するが、例えば仮に、スライダ部材１６がポンプロータ１２の１回転当たり３回往復し且つ図１７のように上記吸入口７４と吐出口７６とが合計３組であっても、同様に上記油圧バランスが良く、上記油圧差はポンプロータ１２に対する上記偏心力を殆ど生じさせない。また、ポンプロータ１２の軸心とポンプボディ１４の軸心とはポンプ軸心RC1であって同一である。このようなことから、本実施例の車両用オイルポンプ１０は、上記内接形歯車ポンプ７１０に対して、回転部材の耐偏心性能の面で優位である。【００３９】
本実施例の車両用オイルポンプ１０には次のような効果（Ａ１）乃至（Ａ４）がある。（Ａ１）本実施例によれば、ポンプロータ１２に対してポンプ軸心RC1まわりの周方向に相対移動不能且つそのポンプ軸心RC1に平行な方向に摺動可能な複数のスライダ部材１６が、ポンプ軸心RC1に直交する方向でポンプロータ１２とポンプボディ１４との間に介装されている。そして、そのスライダ部材１６に設けられた突部４２が嵌め入れられており且つスライダ部材１６がポンプボディ１４に対しポンプ軸心RC1まわりに相対回転するに伴ってそのスライダ部材１６をポンプ軸心RC1方向に往復させるカム溝６０が、ポンプロータ１２に対向するポンプボディ１４の内周面５６に形成されている。従って、従来からあるアキシアルピストンポンプと比較して少ない種類の構成部品によって、スライダ部材１６を上記アキシアルピストンポンプのピストンと同様に機能させることができるので、そのアキシアルピストンポンプと比較して簡単な構造で、車両用オイルポンプ１０を構成することが可能である。また、本実施例の車両用オイルポンプ１０では、ポンプロータ１２とポンプボディ１４とが互いに偏心されて配置されてはおらず、また、図９に例示したような内接形歯車ポンプ７１０で油の剪断に起因した摩擦損失を発生させるドリブンギヤ７１４の外周面７１８及び側面に相当する箇所が存在しないので、その内接形歯車ポンプ７１０と比較して動力損失を低減することが可能である。すなわち、車両用オイルポンプ１０は、内接形歯車ポンプ７１０と比較して効率の良い運転を行うことが可能である。また、本実施例の車両用オイルポンプ１０は、内接形歯車ポンプ７１０のドリブンギヤ７１４に相当する構成部品を有さないので、内接形歯車ポンプ７１０よりも小型化することが容易である。【００４０】
（Ａ２）また、本実施例によれば、ポンプボディ１４において、カム溝６０は、ポンプロータ１２とポンプボディ１４とが相対的に１回転する毎にスライダ部材１６をポンプ軸心RC1方向に２回以上往復させるように形成されている。従って、油（オイル）を吸入する方向にスライダ部材１６が移動させられることによって生じる例えば油吸入部分に相当する低油圧箇所と、油を吐き出す方向にスライダ部材１６が移動させられることによって生じる例えば油吐出部分に相当する高油圧箇所とがポンプ軸心RC1まわりに交互に複数組発生するので、上記低油圧箇所と上記高油圧箇所との油圧差によってポンプロータ１２とポンプボディ１４とを互いに偏心させようとする径方向の力が相殺されるように、上記低油圧箇所である吸入口７４と上記高油圧箇所である吐出口７６とをそれぞれ配置できる（図１，図１７参照）。その結果として、例えばポンプロータ１２とポンプボディ１４とが相対的に１回転する毎にスライダ部材１６が１往復させられる場合と比較して、油圧に起因したポンプロータ１２とポンプボディ１４との互いの偏心が抑えられ、ポンプロータ１２およびポンプボディ１４の耐久性悪化を抑制できる。【００４１】
（Ａ３）また、本実施例によれば、カム溝６０が形成されているポンプボディ１４は非回転部材である一方で、複数のスライダ部材１６に対してポンプ軸心RC1まわりの周方向に相対移動不能なポンプロータ１２はそのポンプ軸心RC1まわりに回転可能な回転部材である。このような構成から、ポンプロータ１２がポンプ軸心RC1まわりに回転させられると、スライダ部材１６は、ポンプ軸心RC1方向に往復運動を行いつつ、ポンプロータ１２と共にそのポンプ軸心RC1まわりに回転する。そして、ポンプボディ１４に設けられたカム溝６０は回転しない。従って、油が吸入される吸入口７４と油が吐き出される吐出口７６との各々をポンプ軸心RC1まわりに回転しない一定箇所に設けることができる。例えば仮に、ポンプロータ１２が非回転部材である一方で、ポンプボディ１４がポンプ軸心RC1まわりに回転可能な回転部材であったとすれば、スライダ部材１６は、上記ポンプボディ１４の回転に伴い、ポンプ軸心RC1まわりの周方向位置を変えずにその場で往復運動をさせられるので、車両用オイルポンプ１０の同一箇所から交互に油の吸入と吐出とが行われることになる。そうなると、車両用オイルポンプ１０に接続される油圧回路が、油の吸入時と吐出時とで流路を切り替える機能を備える必要が生じる。【００４２】
（Ａ４）また、本実施例によれば、スライダ部材１６は、ポンプロータ１２とポンプボディ１４との間においてポンプ軸心RC1まわりに環状に複数配設されている。そして、ポンプロータ１２とポンプボディ１４とスライダ部材１６とに囲まれて形成された複数の油室８０の各容積が、ポンプロータ１２とポンプボディ１４との相対回転角度に対応するスライダ部材１６の往復運動によって変化する。従って、スライダ部材１６を多く配設することで、車両用オイルポンプ１０の吐出油圧の脈動を小さくすることが可能である。【００４３】
次に、本発明の他の実施例について説明する。なお、以下の実施例の説明において、実施例相互に重複する部分については、同一の符号を付してその説明を省略する。
【実施例２】
【００４４】
本実施例（実施例２）の説明では、実施例１と異なる点を主に説明する。前述の実施例１では、カム溝６０は１本であったが、本実施例では、実施例１のカム溝６０に加えて更に別のカム溝１６０がポンプボディ１６２の内周面５６に形成されている。本実施例でカム溝を区別して説明する際には、上記実施例１と同じカム溝６０を第１カム溝６０と呼び、本実施例で新たに設けられたカム溝１６０を第２カム溝１６０と呼ぶものとする。そして、本実施例では、スライダ部材１６を往復させるカム溝を第１カム溝６０と第２カム溝１６０との何れかに切り替えるカム溝切替機構１６４が、ポンプボディ１６２に設けられている。本実施例のポンプボディ１６２は、上記第２カム溝１６０とカム溝切替機構１６４とを備えていること以外では、実施例１のポンプボディ１４と同じである。すなわち、本実施例の車両用オイルポンプ１５０は、上記第２カム溝１６０およびカム溝切替機構１６４を除けば、実施例１の車両用オイルポンプ１０と同じである。【００４５】
図１８は、前述の図７と同様の展開図であって、車両用オイルポンプ１５０においてポンプ軸心RC1まわりに環状に配設された複数のスライダ部材１６を直列的に１周分を展開して、そのスライダ部材１６の各々のポンプ軸心RC1方向の軸方向位置を示した展開図である。図１９は、図１８にて一点鎖線A01で囲んだ箇所を拡大した図であって、図１９（ａ）は図１８と同じカム溝切替機構１６４の切替位置を表しており、図１９（ｂ）はもう一方の切替位置へカム溝切替機構１６４が切り替えられた状態を表している。図２０は、図１９（ａ）においてX1−X1方向に見たポンプボディ１６２のX1−X1矢視断面図である。【００４６】
図１８に示すように、ポンプボディ１６２にはカム溝６０，１６０が複数形成されている。具体的には、第１カム溝６０と第２カム溝１６０との２本のカム溝が形成されている。上記第２カム溝１６０は、ポンプ軸心RC1を含む断面における第２カム溝１６０の位置が、ポンプ軸心RC1まわりのその断面の周方向角度に応じてポンプ軸心RC1方向に変化しないように、ポンプボディ１６２の内周面５６の略半周にわたって形成されている。従って、スライダ部材１６は、そのスライダ部材１６の突部４２が第２カム溝１６０に嵌め入れられている間は、ポンプロータ１２が回転しても、ポンプ軸心RC1方向に摺動しない。【００４７】
また、図１９及び図２０に示すように、カム溝切替機構１６４は、第１カム溝６０と第２カム溝１６０との一方のカム溝を塞ぐと共に他方のカム溝を前記突部４２を嵌入れ可能に開口させるカム溝切替部１６６と、カム溝切替部１６６と一体である本体部１６８とを備えている。カム溝切替機構１６４では、本体部１６８が油圧またはバネ力などによりポンプ軸心RC1方向に押されて移動させられることにより、図１９（ａ）に示す第１切替位置と図１９（ｂ）に示す第２切替位置との一方に切り替えられる。例えば、図２０に示すように、上記本体部１６８は、ポンプボディ１６２に形成されたシリンダボア１７０内にポンプ軸心RC1方向に摺動可能に嵌め入れられている。そして、シリンダボア１７０内において、本体部１６８を挟んでポンプ軸心RC1方向の一方（第２切替位置側）にはコイルバネ１７２が設けられており、他方（第１切替位置側）には油室１７４が形成されている。本体部１６８は、上記コイルバネ１７２によって油室１７４の側すなわち前記第１切替位置側に向けて付勢されている。このような構成において、上記油室１７４に作動油圧が供給されていなければ、本体部１６８は、コイルバネ１７２の付勢力によって前記第１切替位置側向けて移動させられている。一方で、作動油圧が油路１７６を介して上記油室１７４に供給されその作動油圧の本体部１６８に対する押圧力がコイルバネ１７２の付勢力を超えると、本体部１６８は、上記作動油圧の押圧力によって前記第２切替位置側向けて移動させられる。【００４８】
具体的にカム溝切替機構１６４は、前記第１切替位置に切り替えられると、図１９（ａ）に示すように、第１カム溝６０が前記突部４２を嵌め入れることができるように開口させられると共に、第２カム溝１６０がその突部４２を嵌め入れることができないように塞がれる。また、カム溝切替機構１６４は、例えばカム溝切替部１６６及び本体部１６８が矢印AR03（図２０参照）に示すようにポンプ軸心RC1方向に移動させられ、前記第２切替位置に切り替えられると、図１９（ｂ）に示すように、第１カム溝６０が前記突部４２を嵌め入れることができないように塞がれると共に、第２カム溝１６０がその突部４２を嵌め入れることができるように開口させられる。このようにして、カム溝切替機構１６４は、複数のカム溝６０，１６０のうちの何れかに、具体的には第１カム溝６０と第２カム溝１６０とのうちの何れかに、スライダ部材１６の突部４２が嵌め入れられるカム溝を切り替える。なお、本実施例のカム溝切替機構１６４は、ポンプロータ１２が正方向（図１の矢印ARrt方向）に回転することを前提として構成されている。【００４９】
本実施例では、前述の実施例１の効果（Ａ１）乃至（Ａ４）に加え、更に次のような効果（Ｂ１）がある。（Ｂ１）本実施例によれば、ポンプボディ１６２にはカム溝６０，１６０が複数形成されており、カム溝切替機構１６４は、スライダ部材１６の突部４２が嵌め入れられるカム溝を上記複数のカム溝６０，１６０のうちの何れかに切り替える。従って、上記突部４２が嵌め入れられるカム溝をカム溝切替機構１６４によって切り替えることで、車両用オイルポンプ１５０の吐出流量を切り替えることができる。例えば、カム溝切替機構１６４が前記第１切替位置に切り替えられた場合にはスライダ部材１６はポンプロータ１２の１回転当たり２回往復するところ、カム溝切替機構１６４が前記第２切替位置に切り替えられた場合には第２カム溝１６０が有効となってスライダ部材１６はポンプロータ１２の１回転当たり略１回しか往復しないので、カム溝切替機構１６４を前記第１切替位置から前記第２切替位置に切り替えることで、ポンプロータ１２の回転速度を変更せずに、車両用オイルポンプ１５０の吐出流量を略半減することができる。【００５０】
以上、本発明の実施例を図面に基づいて詳細に説明したが、これ等はあくまでも一実施形態であり、本発明は当業者の知識に基づいて種々の変更、改良を加えた態様で実施することができる。【００５１】
例えば、前述の実施例１，２において、スライダ部材１６のピストン部４０は図４の正面図では扇形形状をしているが、その外形形状は扇形形状に限定されるわけではない。【００５２】
また、前述の実施例１，２において、カム溝６０は、ポンプロータ１２とポンプボディ１４とが相対的に１回転する毎にスライダ部材１６をポンプ軸心RC1方向に２回往復させるように形成されているが、そのスライダ部材１６を１回往復させるように形成されていてもよいし、或いは、３回以上往復させるように形成されていてもよい。なお、１回転当たりのスライダ部材１６の往復回数と吸入口７４の数と吐出口７６の数とは相互に同数であり、例えば、スライダ部材１６が１回転当たり３回往復するのであれば、吸入口７４と吐出口７６とはそれぞれ３箇所ずつ設けられる。【００５３】
また、前述の実施例１，２において、図１〜図６に示すように、スライダ部材１６の突部４２は、ポンプ軸心RC1を中心とする外周側に突き出て設けられており、ポンプボディ１４のカム溝６０はそのポンプボディ１４の内周面５６に設けられているが、その突部４２およびカム溝６０は、スライダ部材１６がポンプロータ１２の回転に伴ってポンプ軸心RC1方向に往復運動させられればよく、図１〜図６に示す配置に限定されるわけではない。【００５４】
また、前述の実施例１において、図１のように、吐出口７６は２箇所に設けられているので、吐出口７６毎に吐出圧を違えて、２箇所の吐出口７６の各々から別個の油圧制御回路に元圧が供給されても差し支えない。そのように個々の油圧制御回路に適した吐出圧とされることで、例えば２箇所の吐出口７６を１系統に統一した後に個々の油圧制御回路に分岐する場合と比較して、ポンプ仕事Ｗ（＝吐出圧×吐出流量）を低減できる。【００５５】
また、前述の実施例１において、ポンプロータ１２の１回転当たりスライダ部材１６は２回往復し、そのスライダ部材１６のストローク量STRKは１往復目と２往復目とでは互いに等しいが、互いに異なるストローク量STRKであっても差し支えない。【００５６】
また、前述の実施例２において、ポンプボディ１６２には２本のカム溝６０，１６０が並列的に形成されているが、例えば、ポンプボディ１６２に３本以上のカム溝が形成されており、カム溝切替機構１６４は、スライダ部材１６の突部４２が嵌め入れられるカム溝をその複数のカム溝のうちの何れかに切り替えるものであっても差し支えない。【００５７】
また、前述の実施例１，２において、車両用オイルポンプ１０，１５０は、エンジンによって回転駆動されるが、駆動力源に特に限定はなく、例えば、電動モータによって回転駆動されても差し支えない。【００５８】
また、前述の実施例１，２において、車両用オイルポンプ１０，１５０の用途として、車両用変速機の油圧供給源が示されているが、車両用オイルポンプ１０，１５０の用途はそれに限定されるものでない。【００５９】
また、前述の実施例１，２において、カム溝６０はポンプボディ１４に形成されており、且つ、スライダ部材１６は、ポンプロータ１２に対して、ポンプ軸心RC1まわりの周方向に相対移動不能且つポンプ軸心RC1に平行な方向に摺動可能に設けられているが、逆に、カム溝６０がポンプロータ１２に形成されており、且つ、スライダ部材１６が、ポンプボディ１４に対して、ポンプ軸心RC1まわりの周方向に相対移動不能且つポンプ軸心RC1に平行な方向に摺動可能に設けられている構成も考え得る。【００６０】
また、前述の実施例１，２において、図１に示すように、スライダ部材１６は、１個１個がポンプロータ１２の隔壁部３０に隔てられて配設されているが、スライダ部材１６の１個１個が隔壁部３０に隔てられる必要はなく、例えば、２〜３個のスライダ部材１６毎に隔壁部３０によって隔てられていても差し支えない。【００６１】
また、前述の実施例１，２において、図１に示すように、車両用オイルポンプ１０，１５０は２８個のスライダ部材１６を備えているが、そのスライダ部材１６の数は２８個よりも少なくても多くてもよく、極端な例を示すとすれば、スライダ部材１６は１個でも差し支えない。
【符号の説明】
【００６２】
１０，１５０：車両用オイルポンプ
１２：ポンプロータ（第１部材）
１４，１６２：ポンプボディ（第２部材）
１６：スライダ部材
４２：突部
５６：内周面（周面）
６０：カム溝
８０：油室
１６０：第２カム溝
１６４：カム溝切替機構
RC1：ポンプ軸心（一軸心）
【図１】
2012137292.tif 000003
【図２】
2012137292.tif 000004
【図３】
2012137292.tif 000005
【図４】
2012137292.tif 000006
【図５】
2012137292.tif 000007
【図６】
2012137292.tif 000008
【図７】
2012137292.tif 000009
【図８】
2012137292.tif 000010
【図９】
2012137292.tif 000011
【図１０】
2012137292.tif 000012
【図１１】
2012137292.tif 000013
【図１２】
2012137292.tif 000014
【図１３】
2012137292.tif 000015
【図１４】
2012137292.tif 000016
【図１５】
2012137292.tif 000017
【図１６】
2012137292.tif 000018
【図１７】
2012137292.tif 000019
【図１８】
2012137292.tif 000020
【図１９】
2012137292.tif 000021
【図２０】
2012137292.tif 000022
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
一軸心まわりに相対回転可能な第１部材および第２部材を備え、該第１部材と該第２部材との一方が他方の内周側に挿入されている車両用オイルポンプであって、
前記一軸心に直交する方向で前記第１部材と前記第２部材との間に介装され、該第１部材に対して該一軸心まわりの周方向に相対移動不能且つ該一軸心に平行な方向に摺動可能なスライダ部材を備えており、
前記スライダ部材に設けられた突部が嵌め入れられており且つ該スライダ部材が前記第２部材に対し前記一軸心まわりに相対回転するに伴って該スライダ部材を該一軸心方向に往復させるカム溝が、前記第１部材に対向する前記第２部材の周面に形成されており、
前記第２部材は非回転部材である一方で、前記第１部材は前記一軸心まわりに回転可能な回転部材であり、
複数の吸入口と複数の吐出口とが設けられたポンプカバーが前記第２部材に固定されており、
前記複数の吸入口は前記一軸心を中心として互いに対角配置されており、且つ、前記複数の吐出口も該一軸心を中心として互いに対角配置されている
ことを特徴とする車両用オイルポンプ。
【請求項２】
前記カム溝は、前記第１部材と前記第２部材とが相対的に１回転する毎に前記スライダ部材を前記一軸心方向に２回以上往復させるように形成されている
ことを特徴とする請求項１に記載の車両用オイルポンプ。
【請求項３】
（削除）
【請求項４】
前記スライダ部材は、前記第１部材と前記第２部材との間において前記一軸心まわりに環状に複数配設されており、
前記第１部材と前記第２部材と前記スライダ部材とに囲まれて形成された複数の油室の各容積が、該第１部材と該第２部材との相対回転角度に対応する前記スライダ部材の往復運動によって変化する
ことを特徴とする請求項１又は２に記載の車両用オイルポンプ。
【請求項５】
前記第２部材には前記カム溝が複数形成されており、
前記スライダ部材の突部が嵌め入れられるカム溝を前記複数のカム溝のうちの何れかに切り替えるカム溝切換機構を含む
ことを特徴とする請求項１，２，４の何れか１項に記載の車両用オイルポンプ。
【手続補正２】
【補正対象書類名】明細書
【補正対象項目名】０００２
【補正方法】変更
【補正の内容】
【０００２】
断に起因した摩擦損失が大きいという課題があった。また、上記内接形歯車ポンプでは、上記ドリブンギヤがそのドリブンギヤに対して偏心した上記ドライブギヤによって回転駆動されることと、吸入口側と吐出口側との間の油圧差とによって上記ドリブンギヤが回転軸心に対し偏心させられ、その偏心によって、上記ドリブンギヤと上記ドライブギヤとの噛合効率が悪化し、上記ドリブンギヤの磨耗が助長される可能性があるという課題があった。なお、このような各オイルポンプに関する課題は未公知のことである。
［０００６］
本発明は以上の事情を背景として為されたもので、その目的とするところは、アキシアルピストンポンプと比較して簡単な構造で、且つ、内接形歯車ポンプと比較して損失を低減できる車両用オイルポンプを提供することにある。
課題を解決するための手段
［０００７］
上記目的を達成するための第１発明の要旨とするところは、（ａ）一軸心まわりに相対回転可能な第１部材および第２部材を備え、その第１部材とその第２部材との一方が他方の内周側に挿入されている車両用オイルポンプであって、（ｂ）前記一軸心に直交する方向で前記第１部材と前記第２部材との間に介装され、その第１部材に対してその一軸心まわりの周方向に相対移動不能且つその一軸心に平行な方向に摺動可能なスライダ部材を備えており、（ｃ）前記スライダ部材に設けられた突部が嵌め入れられており且つそのスライダ部材が前記第２部材に対し前記一軸心まわりに相対回転するに伴ってそのスライダ部材をその一軸心方向に往復させるカム溝が、前記第１部材に対向する前記第２部材の周面に形成されており、（ｄ）前記第２部材は非回転部材である一方で、前記第１部材は前記一軸心まわりに回転可能な回転部材であり、（ｅ）複数の吸入口と複数の吐出口とが設けられたポンプカバーが前記第２部材に固定されており、（ｆ）前記複数の吸入口は前記一軸心を中心として互いに対角配置されており、且つ、前記複数の吐出口もその一軸心を中心として互いに対角配置されていることを特徴とする。
発明の効果
［０００８］
このようにすれば、前記アキシアルピストンポンプと比較して少ない種類の構成部品によって、前記スライダ部材を前記アキシアルピストンポンプのピストンと同様に機能させることができるので、アキシアルピストンポンプと比較して簡単な構造で、前記車両用オイルポンプを構成することが可能である。また、前記第１発明の車両用オイルポンプでは、前記第１部材と前記
【手続補正３】
【補正対象書類名】明細書
【補正対象項目名】０００３
【補正方法】変更
【補正の内容】
【０００３】
第２部材とが互いに偏心されて配置されてはおらず、また、内接形歯車ポンプで油の剪断に起因した摩擦損失を発生させる前記ドリブンギヤの外周面及び側面に相当する箇所が存在しないので、その内接形歯車ポンプと比較して損失を低減することが可能である。
また、前記第１発明の車両用オイルポンプは、前記第２部材は非回転部材である一方で、前記第１部材は前記一軸心まわりに回転可能な回転部材であるので、前記第１部材が前記一軸心まわりに回転させられると、前記スライダ部材は、その一軸心方向に往復運動を行いつつ、前記第１部材と共にその一軸心まわりに回転する。そして、前記第２部材に設けられた前記カム溝は回転しない。従って、油が吸入される吸入口と油が吐き出される吐出口との各々を上記一軸心まわりに回転しない一定箇所に設けることができる。例えば仮に、前記第１部材が非回転部材である一方で、前記第２部材が前記一軸心まわりに回転可能な回転部材であったとすれば、前記スライダ部材は、上記第２部材の回転に伴い、前記一軸心まわりの周方向位置を変えずにその場で往復運動をさせられるので、車両用オイルポンプの同一箇所から交互に油の吸入と吐出とが行われることになる。そうなると、この車両用オイルポンプに接続される油圧回路が、油の吸入時と吐出時とで流路を切り替える機能を備える必要が生じる。
［０００９］
また、第２発明の要旨とするところは、前記第１発明の車両用オイルポンプであって、前記カム溝は、前記第１部材と前記第２部材とが相対的に１回転する毎に前記スライダ部材を前記一軸心方向に２回以上往復させるように形成されていることを特徴とする。このようにすれば、油（オイル）を吸入する方向に前記スライダ部材が移動させられることによって生じる例えば油吸入部分に相当する低油圧箇所と、油を吐き出す方向に前記スライダ部材が移動させられることによって生じる例えば油吐出部分に相当する高油圧箇所とが前記一軸心まわりに交互に複数組発生するので、上記低油圧箇所と上記高油圧箇所との油圧差によって前記第１部材と前記第２部材とを互いに偏心させようとする径方向の力が相殺されるように、上記低油圧箇所と上記高油圧箇所とをそれぞれ配置できる。その結果として、例えば前記第１部材と前記第２部材とが相対的に１回転する毎に前記スライダ部材が１往復させられる場合と比較して、油圧に起因した前記第１部材と前記第２部材との互いの偏心が抑えられ、前記第１部材および前記第２部材の耐久性悪化を抑制できる。
［００１０］
【手続補正４】
【補正対象書類名】明細書
【補正対象項目名】０００４
【補正方法】変更
【補正の内容】
【０００４】
［００１１］
また、第３発明の要旨とするところは、前記第１発明又は前記第２発明の車両用オイルポンプであって、（ａ）前記スライダ部材は、前記第１部材と前記第２部材との間において前記一軸心まわりに環状に複数配設されており、（ｂ）前記第１部材と前記第２部材と前記スライダ部材とに囲まれて形成された複数の油室の各容積が、その第１部材とその第２部材との相対回転角度に対応する前記スライダ部材の往復運動によって変化することを特徴とする。このようにすれば、前記スライダ部材を多く配設することで、車両用オイルポンプの吐出油圧の脈動を小さくすることが可能である。
［００１２］
また、第４発明の要旨とするところは、前記第１発明から前記第３発明の何れか一の車両用オイルポンプであって、（ａ）前記第２部材には前記カム溝が複数形成されており、（ｂ）前記スライダ部材の突部が嵌め入れられるカム溝を前記複数のカム溝のうちの何れかに切り替えるカム溝切換機構を含むことを特徴とする。このようにすれば、前記スライダ部材の突部が嵌め入れられるカム溝を上記カム溝切換機構によって切り替えることで、車両用オイルポンプの吐出流量を切り替えることができる。
［００１３］
ここで、好適には、（ａ）前記カム溝は、前記一軸心まわりの１周にわたって連続的に連なっており、（ｂ）その一軸心を含む断面におけるそのカム溝の位置は、前記一軸心まわりの前記断面の周方向角度に応じてその一軸心方向に変化する。
［００１４］
また、好適には、前記カム溝は、前記スライダ部材を、そのスライダ部材の前記一軸心まわり周方向位置に応じたその一軸心方向の軸方向位置に拘束する。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
一軸心まわりに相対回転可能な第１部材および第２部材を備え、該第１部材と該第２部材との一方が他方の内周側に挿入されている車両用オイルポンプであって、
前記一軸心に直交する方向で前記第１部材と前記第２部材との間に介装され、該第１部材に対して該一軸心まわりの周方向に相対移動不能且つ該一軸心に平行な方向に摺動可能なスライダ部材を備えており、
前記スライダ部材に設けられた突部が嵌め入れられており且つ該スライダ部材が前記第２部材に対し前記一軸心まわりに相対回転するに伴って該スライダ部材を該一軸心方向に往復させるカム溝が、前記第１部材に対向する前記第２部材の周面に形成されており、
前記第２部材には前記カム溝が複数形成されており、
前記スライダ部材の突部が嵌め入れられるカム溝を前記複数のカム溝のうちの何れかに切り替えるカム溝切換機構を含む
ことを特徴とする車両用オイルポンプ。
【請求項２】
前記カム溝は、前記第１部材と前記第２部材とが相対的に１回転する毎に前記スライダ部材を前記一軸心方向に２回以上往復させるように形成されている
ことを特徴とする請求項１に記載の車両用オイルポンプ。
【請求項３】
前記第２部材は非回転部材である一方で、前記第１部材は前記一軸心まわりに回転可能な回転部材である
ことを特徴とする請求項１又は２に記載の車両用オイルポンプ。
【請求項４】
前記スライダ部材は、前記第１部材と前記第２部材との間において前記一軸心まわりに環状に複数配設されており、
前記第１部材と前記第２部材と前記スライダ部材とに囲まれて形成された複数の油室の各容積が、該第１部材と該第２部材との相対回転角度に対応する前記スライダ部材の往復運動によって変化する
ことを特徴とする請求項１から３の何れか１項に記載の車両用オイルポンプ。
【手続補正２】
【補正対象書類名】明細書
【補正対象項目名】０００７
【補正方法】変更
【補正の内容】
【０００７】
上記目的を達成するための第１発明の要旨とするところは、（ａ）一軸心まわりに相対回転可能な第１部材および第２部材を備え、その第１部材とその第２部材との一方が他方の内周側に挿入されている車両用オイルポンプであって、（ｂ）前記一軸心に直交する方向で前記第１部材と前記第２部材との間に介装され、その第１部材に対してその一軸心まわりの周方向に相対移動不能且つその一軸心に平行な方向に摺動可能なスライダ部材を備えており、（ｃ）前記スライダ部材に設けられた突部が嵌め入れられており且つそのスライダ部材が前記第２部材に対し前記一軸心まわりに相対回転するに伴ってそのスライダ部材をその一軸心方向に往復させるカム溝が、前記第１部材に対向する前記第２部材の周面に形成されており、（ｄ）前記第２部材には前記カム溝が複数形成されており、（ｅ）前記スライダ部材の突部が嵌め入れられるカム溝を前記複数のカム溝のうちの何れかに切り替えるカム溝切換機構を含むことを特徴とする。
【手続補正３】
【補正対象書類名】明細書
【補正対象項目名】０００８
【補正方法】変更
【補正の内容】
【０００８】
このようにすれば、前記アキシアルピストンポンプと比較して少ない種類の構成部品によって、前記スライダ部材を前記アキシアルピストンポンプのピストンと同様に機能させることができるので、アキシアルピストンポンプと比較して簡単な構造で、前記車両用オイルポンプを構成することが可能である。また、前記第１発明の車両用オイルポンプでは、前記第１部材と前記第２部材とが互いに偏心されて配置されてはおらず、また、内接形歯車ポンプで油の剪断に起因した摩擦損失を発生させる前記ドリブンギヤの外周面及び側面に相当する箇所が存在しないので、その内接形歯車ポンプと比較して損失を低減することが可能である。
また、前記第１発明の車両用オイルポンプでは、前記第２部材には前記カム溝が複数形成されており、前記スライダ部材の突部が嵌め入れられるカム溝を前記複数のカム溝のうちの何れかに切り替えるカム溝切換機構を含むので、前記スライダ部材の突部が嵌め入れられるカム溝を上記カム溝切換機構によって切り替えることで、車両用オイルポンプの吐出流量を切り替えることができる。
【手続補正４】
【補正対象書類名】明細書
【補正対象項目名】００１０
【補正方法】変更
【補正の内容】
【００１０】
また、第３発明の要旨とするところは、前記第１発明又は前記第２発明の車両用オイルポンプであって、前記第２部材は非回転部材である一方で、前記第１部材は前記一軸心まわりに回転可能な回転部材であることを特徴とする。このようにすれば、前記第１部材が前記一軸心まわりに回転させられると、前記スライダ部材は、その一軸心方向に往復運動を行いつつ、前記第１部材と共にその一軸心まわりに回転する。そして、前記第２部材に設けられた前記カム溝は回転しない。従って、油が吸入される吸入口と油が吐き出される吐出口との各々を上記一軸心まわりに回転しない一定箇所に設けることができる。例えば仮に、前記第１部材が非回転部材である一方で、前記第２部材が前記一軸心まわりに回転可能な回転部材であったとすれば、前記スライダ部材は、上記第２部材の回転に伴い、前記一軸心まわりの周方向位置を変えずにその場で往復運動をさせられるので、車両用オイルポンプの同一箇所から交互に油の吸入と吐出とが行われることになる。そうなると、この車両用オイルポンプに接続される油圧回路が、油の吸入時と吐出時とで流路を切り替える機能を備える必要が生じる。
【手続補正５】
【補正対象書類名】明細書
【補正対象項目名】００１１
【補正方法】変更
【補正の内容】
【００１１】
また、第４発明の要旨とするところは、前記第１発明から前記第３発明の何れか一の車両用オイルポンプであって、（ａ）前記スライダ部材は、前記第１部材と前記第２部材との間において前記一軸心まわりに環状に複数配設されており、（ｂ）前記第１部材と前記第２部材と前記スライダ部材とに囲まれて形成された複数の油室の各容積が、その第１部材とその第２部材との相対回転角度に対応する前記スライダ部材の往復運動によって変化することを特徴とする。このようにすれば、前記スライダ部材を多く配設することで、車両用オイルポンプの吐出油圧の脈動を小さくすることが可能である。
【手続補正６】
【補正対象書類名】明細書
【補正対象項目名】００１２
【補正方法】削除
【補正の内容】
【国際調査報告】
2012137292.tif 000023
2012137292.tif 000024
2012137292.tif 000025
2012137292.tif 000026